(57)【特許請求の範囲】
【請求項１】
固定筒を有する鏡筒本体内に設けられた電気部品と、前記鏡筒本体が連結されるカメラ本体とを、所定幅からなる薄板状のフレキシブルプリント基板を介して電気接続するようにしたレンズ鏡筒であって、
前記固定筒は、前記連結に際して前記カメラ本体側となる当該固定筒の端面に、外周面から内周面に貫通するように形成された切欠と、前記端面近傍の外周面に、前記フレキシブルプリント基板が貼り付けられる被貼付部とを備え、
前記電気部品は、前記固定筒の外周に保持され、
前記鏡筒本体は、この鏡筒本体に設けられたレンズと連結されてレンズを駆動操作する筒状のレンズ駆動操作部材を備え、
前記レンズ駆動操作部材は、前記固定筒の外周側であって前記固定筒の軸方向における前記端面と前記電気部品との間に、前記固定筒に対して回転自在に配設され、
前記フレキシブルプリント基板は、その長手方向の第１端に、前記電気部品に通電可能に接続される電気部品接続部を、その第２端に、前記固定筒の外周面側から切欠に入れられた切欠用挿入部を、それぞれ備えているとともに、前記電気部品接続部と前記切欠用挿入部との中間部に、前記固定筒の周方向に延ばされるようにして固定筒の前記被貼付部に貼り付けられた貼付部と、前記貼付部と切欠用挿入部との間に、前記貼り付けられた状態で前記貼付部から前記固定筒の端面側に突出し、前記レンズ駆動操作部材と一定の距離を持って配設されるように、ほぼＵ字状に曲げ成形されたＵ字状部とを備えていることを特徴とするレンズ鏡筒。
【請求項２】
前記切欠には、係合凹部を備え、
前記切欠用挿入部に、前記係合凹部に係合する係合片を備えていることを特徴とする請求項１記載のレンズ鏡筒。
【請求項３】
前記フレキシブルプリント基板は、前記電気部品接続部と前記貼付部との中間部に、前記固定筒の端面側から前記電気部品側に折り返された折り返し部を、更に備え、
前記折り返し部は、前記折り返し部から折り返された部分が前記レンズ駆動操作部材の径方向外側に、一定の距離を持って配設されるように、前記フレキシブルプリント基板が有する弾性によって湾曲状に形成されていることを特徴とする請求項１又は２記載のレンズ鏡筒。
【請求項４】
前記鏡筒本体と前記カメラ本体とは、連結部材を介して連結され、
前記フレキシブルプリント基板は、第１フレキ片と、第２フレキ片とを備え、
前記貼付部と切欠用挿入部とＵ字状部とは、前記第１フレキ片に形成されているとともに、前記係合片は、前記第１フレキ片の端部に形成され、
前記第２フレキ片は、その第１端に、前記係合片と着脱可能に且つ電気的に接続される接続部を備え、前記連結部材を介して鏡筒本体とカメラ本体とが連結されるに際して、その第２端がカメラ本体に電気的に接続可能に前記連結部材に取付けられているとともに、第１端と第２端との中間部が湾曲状に弾性変形して前記接続部が前記係合凹部に嵌挿されて係合された係合片を前記係合凹部内に押圧するように構成されていることを特徴とする請求項２又は３記載のレンズ鏡筒。
【発明の詳細な説明】
【技術分野】
【０００１】
本発明は、内部の電気部品がカメラ本体とフレキシブルプリント基板を介して電気的に接続されるカメラのレンズ鏡筒に関するものである。
【背景技術】
【０００２】
近年、レンズ鏡筒は、高性能化及び高機能化に加えて小型化が求められている。高性能化を図ると、レンズやそれらを駆動させる駆動部の大型化が避けられず、レンズ鏡筒は大型化し、小型化の要望に相反する。また、レンズ鏡筒の小型化を図ると、部品間のクリアランスが減るため、レンズ鏡筒の組立難度が高くなってしまう。
【０００３】
そこで、従来から、電気部品が内蔵されたレンズ鏡筒は、電気部品とカメラ本体側の回路基板とがフレキシブルプリント基板（以下、「ＦＰＣ」）を用いて電気的に接続されることが一般的である。
【０００４】
このようなＦＰＣを用いたレンズ鏡筒として、例えば特許文献１に開示されたものがある。このものは、電気部品に接続したＦＰＣを、レンズ鏡筒に設けたＦＰＣ案内基板とレンズ基板との間の空間を通ってカメラ本体側の後方に延ばした後、前方に向かうように折り返し、その後、再度後方側に折り返して、上記ＦＰＣ案内基板とは別にその径方向外側に設けたＦＰＣ案内基板とカム筒（レンズ駆動操作部材）との間の空間に通して後方に延ばしてレンズ鏡筒の外側に引き出し、その先端をカメラ本体の上部に導くようにしたものである。
【先行技術文献】
【特許文献】
【０００５】
【特許文献１】特開平７−２１８８０４号公報
【発明の概要】
【発明が解決しようとする課題】
【０００６】
しかしながら、上記特許文献１に記載のもののように、ＦＰＣを、ＦＰＣ案内基板とレンズ駆動操作部材との間の空間等に通して延ばしたのでは、ＦＰＣの組み付けが複雑化して組み付けに時間を要してしまう。
【０００７】
本発明は、ＦＰＣの組み付けが容易なレンズ鏡筒を提供することを目的とする。
【課題を解決するための手段】
【０００８】
上記課題を解決するため、本発明の一態様に係るレンズ鏡筒は、固定筒を有する鏡筒本体内に設けられた電気部品と、前記鏡筒本体が連結されるカメラ本体とを、所定幅からなる薄板状のフレキシブルプリント基板を介して電気接続するようにしたレンズ鏡筒であって、前記固定筒は、前記連結に際して前記カメラ本体側となる当該固定筒の端面に、外周面から内周面に貫通するように形成された切欠と、前記端面近傍の外周面に、前記フレキシブルプリント基板が貼り付けられる被貼付部とを備え、前記電気部品は、前記固定筒の外周に保持され、前記鏡筒本体は、この鏡筒本体に設けられたレンズと連結されてレンズを駆動操作する筒状のレンズ駆動操作部材を備え、前記レンズ駆動操作部材は、前記固定筒の外周側であって前記固定筒の軸方向における前記端面と前記電気部品との間に、前記固定筒に対して回転自在に配設され、前記フレキシブルプリント基板は、その長手方向の第１端に、前記電気部品に通電可能に接続される電気部品接続部を、その第２端に、前記固定筒の外周面側から切欠に入れられた切欠用挿入部を、それぞれ備えているとともに、前記電気部品接続部と前記切欠用挿入部との中間部に、前記固定筒の周方向に延ばされるようにして固定筒の前記被貼付部に貼り付けられた貼付部と、前記貼付部と切欠用挿入部との間に、前記貼り付けられた状態で前記貼付部から前記固定筒の端面側に突出し、前記レンズ駆動操作部材と一定の距離を持って配設されるように、ほぼＵ字状に曲げ成形されたＵ字状部とを備えている。
【０００９】
この構成によれば、ＦＰＣの貼付部を固定筒の外周面に貼り付けるとともに、固定筒の外周面側から切欠に切欠用挿入部を入れるため、ＦＰＣを固定筒の内周側からカメラ本体側に引き出すことができる。これにより、ＦＰＣを、固定筒に直接配設でき、このＦＰＣを配設した後の固定筒に、レンズ駆動操作部材或いはカバー等の外装部材を装着すればよく、ＦＰＣの組み付けを容易なものにできる。
【００１０】
又、固定筒の外周面側から切欠に切欠用挿入部を入れる際、Ｕ字状部によって、ＦＰＣにねじれを生じさせることなく切欠に切欠用挿入部を入れることができる。従って、切欠に切欠用挿入部を、容易に入れることができる。又、入れた後は、ねじれが生じていないため、ねじれの復元力によって切欠から切欠用挿入部が出てしまうようなことを防止でき、切欠に切欠用挿入部を入れた状態を維持し易くできるとともに、固定筒の外周面に貼り付けた貼付部の一部が剥がれるようなことを防止できる。
【００１１】
他の一態様では、上述のレンズ鏡筒において、前記切欠には、係合凹部を備え、前記切欠用挿入部に、前記係合凹部に係合する係合片を備えている。
【００１２】
この構成によれば、切欠用挿入部に、係合凹部に係合される係合片を備えているため、切欠用挿入部を固定筒の切欠に位置決めして入れることができるとともに、その入れた位置に維持させることができる。従って、使用中にＦＰＣが可動し、例えばレンズ駆動操作部材にＦＰＣが接触するおそれの少ないものにでき、ＦＰＣが破損し、或いは、ＦＰＣがレンズ駆動操作部材に接触してレンズ駆動操作部材の回転に抵抗を与えることのないものにできる。
【００１３】
他の一態様では、上述のレンズ鏡筒において、前記フレキシブルプリント基板は、前記電気部品接続部と前記貼付部との中間部に、前記固定筒の端面側から前記電気部品側に折り返された折り返し部を、更に備え、前記折り返し部は、前記折り返し部から折り返された部分が前記レンズ駆動操作部材の径方向外側に、一定の距離を持って配設されるように、前記フレキシブルプリント基板が有する弾性によって湾曲状に形成されている。
【００１４】
この構成によれば、ＦＰＣを、貼付部の端部から電気部品側に折り返された折り返し部を備えているため、固定筒の外周側であって固定筒の軸方向における前記端面と前記電気部品との間に配設されたレンズ駆動操作部材にＦＰＣが接触するおそれの少ないものにできる。これにより、ＦＰＣが破損するおそれの少ないものにできる。又、ＦＰＣがレンズ駆動操作部材に接触してレンズ駆動操作部材の回転に抵抗を与えることのないものにでき、レンズ駆動操作部材を円滑に回転させることができる。
【００１５】
又、レンズ駆動操作部材を、ＦＰＣの貼付部が貼付けられた固定筒の被貼付部の外周側に配設して径方向に重ね合わせるようにすれば、貼付けたＦＰＣが邪魔になることなくレンズ駆動操作部材を固定筒の外周に配設でき、鏡筒本体の軸方向（光軸方向）の長さが長くなるようなことを防止できる。
【００１６】
他の一態様では、上述のレンズ鏡筒において、前記鏡筒本体と前記カメラ本体とは、連結部材を介して連結され、前記フレキシブルプリント基板は、第１フレキ片と、第２フレキ片とを備え、前記貼付部と切欠用挿入部とＵ字状部とは、前記第１フレキ片に形成されているとともに、前記係合片は、前記第１フレキ片の端部に形成され、前記第２フレキ片は、その第１端に、前記係合片と着脱可能に且つ電気的に接続される接続部を備え、前記連結部材を介して鏡筒本体とカメラ本体とが連結されるに際して、その第２端がカメラ本体に電気的に接続可能に前記連結部材に取付けられているとともに、第１端と第２端との中間部が湾曲状に弾性変形して前記接続部が前記係合凹部に嵌挿されて係合された係合片を前記係合凹部内に押圧するように構成されている。
【００１７】
この構成によれば、連結部材を介して鏡筒本体とカメラ本体とが連結されるに際して、第１端と第２端との中間部が湾曲状に弾性変形して接続部が係合凹部に嵌挿されて係合された係合片を係合凹部内に押圧するため、係合凹部に嵌挿された係合片をその係合凹部に入れた状態にでき、使用中に係合片が係合凹部から抜け出るようなことのないものにできる。
【発明の効果】
【００１８】
本発明によれば、ＦＰＣの組み付けが容易なレンズ鏡筒を提供しえたものである。
【図面の簡単な説明】
【００１９】
【図１】本発明の一実施形態のレンズ鏡筒の半断面図である。
【図２】図１のレンズ鏡筒からカバー及び連結部材を外した状態のレンズ鏡筒の斜視図である。
【図３】図２の背面図である。
【図４】ＦＰＣを組み付けた状態の固定筒を展開状態にして表した説明図である。
【図５】ＦＰＣの展開図である。
【図６】連結部材の斜視図である。
【発明を実施するための形態】
【００２０】
以下、本発明を実施するための最良の形態について、図面を参照しながら詳細に説明する。図１は、本発明の一実施形態のレンズ鏡筒の半断面図、図２は、図１のレンズ鏡筒からカバー及び連結部材を外した状態のレンズ鏡筒の斜視図、図３は、図２の背面図、図４は、ＦＰＣを組み付けた状態の固定筒を展開状態にして表した説明図である。
【００２１】
この実施形態のレンズ鏡筒１は、鏡筒本体１０と、鏡筒本体１０内に設けられた電気部品４と、電気部品４をカメラ本体（図示せず）に電気接続するＦＰＣ６、７とを備えている。
【００２２】
鏡筒本体１０は、円筒状の固定筒２と、固定筒２に保持されたレンズ３１、３２と、レンズ３１を駆動操作するレンズ駆動操作部材５とを備えている。
【００２３】
固定筒２は、図１の右側の後端面２１に、切欠２２を備えている。この切欠２２は、図２〜図４に示すように、後端面２１から所定幅で所定の深さで、外周面から内周面に貫通するように形成されている。又、切欠２２には、後述のＦＰＣ６に設けられた係合片６１を嵌挿して係合する係合凹部２３が設けられている。
【００２４】
この係合凹部２３は、切欠２２の奥端面から窪まされるように形成された本体係合凹部２３ａと、本体係合凹部２３ａの両端面夫々に、溝状に形成された突片係合片２３ｂとを備えている。
【００２５】
又、固定筒２は、上記後端面２１近傍の外周面に、ＦＰＣが貼付けられる被貼付部２４を備えている。この被貼付部２４は、係合凹部２３から周方向に沿って後述のＦＰＣ６の貼付部６５と略同長さ及び略同幅の領域とされている。又、この実施形態では、図４に示すように被貼付部２４は、その幅方向の中心と本体係合凹部２３ａの底面２３ｃとの両者における固定筒２の軸方向（光軸方向）の位置が略一致するように形成されている。
【００２６】
レンズ３１、３２は、図１に示すように固定筒２に対して可動する可動レンズ３１と、固定筒２に対して可動しない固定レンズ３２とを備えている。可動レンズ３１は、１枚のレンズ又は複数のレンズ群から構成され、固定筒２の内周に、固定筒２の軸方向に移動可能に保持されている。また、この状態で、光軸Ｚと固定筒２の軸が一致している。
【００２７】
固定レンズ３２は、この実施形態では、可動レンズ３１の前後両側夫々に配設されるようにして、固定筒２の内周に保持されている。
【００２８】
レンズ駆動操作部材５は、円筒状のものから構成されている。このレンズ駆動操作部材５には、図示しないが、周方向に沿って所定長さで形成された複数の周溝と、軸方向及び周方向に対して所定の角度をなすように形成されたカム溝との２種類の溝が設けられている。
【００２９】
周溝は、このレンズ駆動操作部材５を、固定筒２の軸まわり（光軸まわり）に回転可能且つ軸方向移動不能にするためのものであり、一方、カム溝は、レンズ駆動操作部材５の回転に際して可動レンズ３１を固定筒２の軸方向に駆動操作するためのものである。
【００３０】
そして、レンズ駆動操作部材５は、固定筒２の外周に回転自在に保持されている。この実施形態では、レンズ駆動操作部材５の後端部が、固定筒２の被貼付部２４の前端部の径方向外側になるようにして一部同士が互いに径方向に重なるように固定筒２の外周面に配設されているが、この形態のものに限らず、例えばレンズ駆動操作部材５の後端部が、固定筒２の被貼付部２４の前端部の後方側になるように配設してもよい。
【００３１】
又、この状態で、レンズ駆動操作部材５の周溝夫々に、固定筒２に設けられた摺動片が相対移動可能に嵌め入れられ、更に、カム溝夫々に、上記可動レンズ３１に設けられた突片が移動可能に嵌め入れられ、これにより、可動レンズ３１と連結されている。
【００３２】
このように構成されたレンズ駆動操作部材５は、鏡筒本体１０に設けられたマニュアル操作リング５１の回転に伴い回転され、或いは、鏡筒本体１０に設けられた駆動部材としてのモータの作動に伴い回転され、その回転に際して可動レンズ３１を光軸方向に駆動操作する。
【００３３】
詳しくは、鏡筒本体１０には、光軸まわりに回転自在に配設されたマニュアル操作リング５１が設けられているとともに、モータが設けられている。これらのマニュアル操作リング５１とモータは、図示しない出力リング等の連動部材を介してレンズ駆動操作部材５と連動可能に連結されている。そして、操作者が手でこのマニュアル操作リング５１を回転操作し、或いはモータが作動すると、連動部材を介してレンズ駆動操作部材５が回転操作され、このレンズ駆動操作部材５の回転に際して、可動レンズ３１を光軸方向に駆動操作する。
【００３４】
電気部品４は、基板４１及びその基板４１上に保持された制御用部材等を備えている。制御用部材は、例えばオートフォーカス制御を行う。尚、図２〜図４では、基板４１だけを表し、他を省略している。
【００３５】
そして、この電気部品４は、固定筒２の外周における上記レンズ駆動操作部材５の前方側に保持されている。従って、上記レンズ駆動操作部材５は、固定筒２における電気部品４と後端面２１との間に、配設されている。
【００３６】
次に、ＦＰＣ６、７について説明する。この実施形態のＦＰＣは、所定幅の薄板状の折り曲げ自在な第１フレキ片６及び第２フレキ片７とを備えている。第１フレキ片６は、図５に示すように、長手方向の第１端に、電気部品４に接続される電気部品接続部６１
を、その第２端に、固定筒２の切欠２２に挿入される切欠用挿入部６０を備えている。
【００３７】
切欠用挿入部６０は、その先端に、固定筒２の係合凹部２３に係合する係合片６２を備えている。係合片６２は、係合片本体６２ａと、係合片本体６２ａに設けられた一対の係合突片６２ｂとを備えている。
【００３８】
係合片本体６２ａは、固定筒２の係合凹部２３における本体係合凹部２３ａとほぼ同幅に形成され、本体係合凹部２３ａに嵌まり込むように構成されている。係合突片６２ｂは、係合片本体６２ａの幅方向の両側に、固定筒２の係合凹部２３における突片係合片２３ｂに入り込み可能に、係合片本体６２ａから突出するように形成されている。
【００３９】
又、第１フレキ片６は、第１端の電気部品接続部６１と第２端の切欠用挿入部６０との中間部に、直線状に延ばされて固定筒２の被貼付部２４に貼り付けられる貼付部６５を備えている。
【００４０】
又、第１フレキ片６は、貼付部６５と切欠用挿入部６０との間に、Ｕ字状部６３を備えている。Ｕ字状部６３は、第１片６３ａと、第２片６３ｂと、それらの第１片６３ａと第２片６３ｂとを連結した第３片６３ｃとから構成されている。
【００４１】
第１片６３ａは、貼付部６５から幅方向の図の右側に直角に折り曲げ成形されて貼付部６５の長手方向に直交する方向に延ばされている。又、第２片６３ｂは、第１片６３ａと平行に配設されている。そして、この第２片６３ｂの先端側に、切欠用挿入部６０が一体的に連結されている。従って、切欠用挿入部６０は、貼付部６５の長手方向に直交する方向に平行な方向に沿って延ばされるようにして配設されている。
【００４２】
又、第１フレキ片６は、電気部品接続部６１と貼付部６５との間に、貼付部６５から幅方向の図の右側に直角に折り曲げ成形されて貼付部６５の長手方向と直交する方向に延ばされた延設部６４を備えており、この延設部６４によって、電気部品接続部６１が図５の展開図において、貼付部６５の右側に配設されている。
【００４３】
又、この延設部６４には、第１フレキ片６が鏡筒本体１０に組み付けられる際に延設部６４の長手方向に直角に折り返される折り返し部６４ａが設けられている。
【００４４】
第２フレキ片７は、その第１端に、第１フレキ片６の係合片６２と通電可能且つ着脱自在に接続する接続部７１を備えている。
【００４５】
又、第２フレキ片７の第２端は、鏡筒本体１０とカメラ本体とを連結する連結部材８に保持されている。詳しくは、連結部材８は、図６に示すようにリング状のもので、図１に示すようにその前端面が鏡筒本体１０の固定筒２の後端面２１に当接するようにして固定筒２の後方側に連結され、この連結部材８にカメラ本体が連結されることにより、鏡筒本体１０とカメラ本体とが連結できるようになっている。
【００４６】
そして、第２フレキ片７の第２端は、連結部材８に設けられた導体と電気的に接続されるようにして連結部材８に取り付けられている。又、この状態で、第２フレキ片７の接続部７１は、連結部材８から前方に延ばされている。
【００４７】
以上のように構成された第１フレキ片６は、図２〜図４に示すように貼付部６５が固定筒２の被貼付部２４に貼り付けられる。この状態で、延設部６４は、図示しないが固定筒２の軸（光軸Ｚ）の方向に沿って後方側に延ばされている。
【００４８】
その状態から、延設部６４の折り返し部６４ａを前方側に折り返す。これにより、電気部品接続部６１が鏡筒本体１０の電気部品４側に配設される。従って、この状態で、電気部品接続部６１と電気部品４とを容易に接続できる。
【００４９】
又、折り返された状態の折り返し部６４ａは、図１、図２に示すように第１フレキ片６が有する弾性によって湾曲状になる。これにより、折り返し部６４ａから折り返された部分をレンズ駆動操作部材５の径方向外側に一定の距離を持って配設でき、レンズ駆動操作部材５の回転に際してレンズ駆動操作部材５と第１フレキ片６とが接触して第１フレキ片６が破損し、或いは、レンズ駆動操作部材５の回転抵抗になるおそれの少ないものにできる。
【００５０】
一方、貼付部６５が被貼付部２４に貼り付けられた状態で、Ｕ字状部６３は、固定筒２の後端面２１から後方に突出しているとともに、切欠用挿入部６０は、固定筒２の光軸Ｚの方向と平行な方向（前後方向）に延ばされている。尚、図２〜図４では、説明の都合上、固定筒２の後端面２１から後方に突出したＵ字状部６３を前方側に撓ませた状態を表している。
【００５１】
この状態から、例えば図２〜図４に示すように、Ｕ字状部６３の第１片６３ａの基端部を前方側に押圧して撓ませるようにするとともに、第２片６３ｂの先端部を折り返して係合片６２が第２片６３ｂの後方側になるように操作し、その状態で係合片６２を固定筒２の係合凹部２３に入れる。
【００５２】
その際、上記のように第１片６３ａを撓ませることにより、Ｕ字状部６３の第２片６３ｂ及び切欠用挿入部６０を固定筒２の径方向に延びた状態にできる。従って、第１フレキ片６にねじれを生じさせることなく、係合片６２を固定筒２の係合凹部２３に入れることができる。
【００５３】
第１フレキ片６にねじれが生じると、係合片６２を固定筒２の係合凹部２３に入れ難くなるとともに、被貼付部２４に貼り付けられた貼付部６５の一部が外れるおそれがあるが、そのようなことを防止できる。
【００５４】
又、この実施形態のように、被貼付部２４に貼り付けられた貼付部６５の幅方向の中心と本体係合凹部２３ａの底面２３ｃとの光軸方向の位置（前後方向の位置）が略一致するように形成している場合でも、Ｕ字状部６３によって第１フレキ片６にねじれを生じさせることなく、係合片６２を固定筒２の係合凹部２３に容易に入れることができる。
【００５５】
又、上記のように貼付部６５と本体係合凹部２３ａとの光軸方向の位置を略一致するように形成することにより、固定筒２及びレンズ鏡筒１全体の光軸方向の長さを短くでき、コンパクトなものにできる。
【００５６】
次に、固定筒２の係合凹部２３に入れた係合片６２に、第２フレキ片７の接続部７１を接続し、その状態で、連結部材８を固定筒２に連結する。この連結状態で、図１に示すように第２フレキ片７の接続部７１と連結部材８までの中間部分が湾曲状に弾性変形して接続部７１に係合片６２を係合凹部２３内に押圧するように弾性力がかかる。これにより、係合片６２を固定筒２の係合凹部２３に入れた状態に維持できる。
【００５７】
又、この状態で、係合片６２は、固定筒２の係合凹部２３に入れられているため、固定筒２の径方向及び周方向への移動が規制された状態になり、第１フレキ片６が使用中に可動してレンズ駆動操作部材５等に当たるおそれのないものにできる。
【００５８】
尚、固定筒２にカバー２５を装着した状態で、第１フレキ片６のＵ字状部６３は、図１に示すようにカバー２５の内面に押圧されてその内面に沿うように折り曲げられてレンズ駆動操作部材５の径方向外側に一定の距離を持って配設される。従って、レンズ駆動操作部材５の回転に際してレンズ駆動操作部材５とＵ字状部６３とが接触して第１フレキ片６が破損し、或いは、レンズ駆動操作部材５の回転抵抗になるおそれの少ないものにできる。
【００５９】
又、固定筒２に連結部材８に連結した状態で、カメラ本体を連結部材８に連結すれば、連結部材８を介してカメラ本体と第２フレキ片７とを電気的に接続でき、カメラ本体と鏡筒本体１０の電気部品４とを電気的に接続できる。
【００６０】
尚、上記実施形態では、ＦＰＣは、第１フレキ片６と第２フレキ片７とを備えたものとされているが、この形態のものに限らず、適宜変更できる。例えばＦＰＣを、１つのフレキ片から構成し、その中間部にＵ字状部を形成するようにしてもよい。又、その場合において、Ｕ字状部とともに、係合片を設けてもよいが、設けなくてもよい。
【符号の説明】
【００６１】
１    レンズ鏡筒
２    固定筒
４    電気部品
５    レンズ駆動操作部材
６    第１フレキ片（ＦＰＣ）
７    第２フレキ片（ＦＰＣ）
１０    鏡筒本体
２２    切欠
２３    係合凹部
２４    被貼付部
３１    可動レンズ
６０    切欠用挿入部
６１    電気部品接続部
６２    係合片
６３    Ｕ字状部
６４ａ    折り返し部
６５    貼付部
【図１】
0005671888.tif 000002
【図２】
0005671888.tif 000003
【図３】
0005671888.tif 000004
【図４】
0005671888.tif 000005
【図５】
0005671888.tif 000006
【図６】
0005671888.tif 000007